(57)【特許請求の範囲】
【請求項１】
粒子線治療において治療台の天面に設置したベースプレートに載せた患者の頭部、その他の部位を固定するために用いる体位固定シェルを前記ベースプレートに取り付けるシェル取付け構造であって、
前記ベースプレートの両側の側端面に形成した一定幅の平面からなるシェル取付け面と、
前記体位固定シェルの両側の縁端部に固定した板状のシェル枠に形成した、前記シェル取付け面よりも広い幅で一定厚さの長方形平板からなる枠板部分と、
前記枠板部分を前記シェル取付け面に位置決めして重ね合わせる位置決め部と、
前記側端面と同一幅で前記枠板部分よりも長い一定厚さの長方形平板からなる押さえ板と、
前記シェル取付け面との間に前記枠板部分を挟んだ状態の前記押さえ板を、前記側端面に位置決めして取付ける取り付け部と、
を有しており、
前記位置決め部は、前記枠板部分をその厚さ方向に貫通しているピン孔と、このピン孔に差し通し可能であり、前記シェル取付け面から前記枠板部分の厚さに対応する突出高さを有する位置決めピンとを備え、
前記シェル取付け面に対して、前記ピン孔に前記位置決めピンが差し通されて前記ピン孔が封鎖された状態で、前記シェル枠の前記枠板部分が重ね合わされ、前記押さえ板が前記枠板部分に重ね合わされて前記側端面に取り付けられることを特徴とするシェル取付け構造。
【請求項２】
前記取り付け部は、
前記シェル取付け面において、前記枠板部分の長さよりも広い間隔で配置された一対の取付けピンと、
前記押さえ板における一方の長辺縁において、前記一対の取付けピンに対応する間隔の位置に形成され、各取付けピンを差し込み可能な一対のピン差込溝と、
を備えており、
前記取付けピンは、前記シェル取付け面から前記ベースプレートに埋め込み固定された脚部と、当該脚部の先端に形成され、前記シェル取付け面から突出している段付き頭部とを備え、
前記押さえ板を前記シェル取付け面に沿ってスライドさせて、ピン差込溝に前記取付けピンを差し込むと、前記段付き頭部は、前記押さえ板における前記ピン差込溝を取り囲む凹状の溝内周縁部分に対して厚さ方向の外側から係合して、当該押さえ板と前記シェル取付け面との間に、前記シェル枠の前記枠板部分が挟まれ、前記押さえ板の外側表面と前記段付き頭部の先端面が同一平面上に位置する状態が形成される請求項１に記載のシェル取付け構造。
【請求項３】
前記取り付け部は、
前記シェル取付け面において、前記枠板部分の長さよりも広い間隔で配置された一対の取付けピンと、
前記押さえ板における前記一対の取付けピンに対応する間隔の位置において、当該押さえ板を厚さ方向に貫通する一対のピン差込孔と、
を備えており、
前記取付けピンは、前記シェル取付け面から前記ベースプレートに埋め込み固定された脚部と、当該脚部の先端に形成され、前記シェル取付け面から突出している段付き頭部とを備え、
前記ピン差込孔は、一方に前記段付き頭部を差し通すことが出来る大きさの大孔部分が形成され、他方には小孔部分が形成された長孔であり、
前記ピン差込孔の前記大孔部分に差込ピンを通して、前記押さえ板を、前記差込ピンが前記小孔部分の側に向けて相対的に移動する方向に、スライドさせると、前記取付けピンの前記段付き頭部は、前記押さえ板における前記小孔部分の孔内周縁部分に対して厚さ方向の外側から係合して、当該押さえ板と前記シェル取付け面との間に、前記シェル枠の前記枠板部分が挟まれ、前記押さえ板の外側表面と前記段付き頭部の先端面が同一平面上に位置する状態が形成される請求項１に記載のシェル取付け構造。
【請求項４】
前記押さえ板における前記側端面に対峙する内側表面には、その長さ方向の両端部分に、前記シェル枠の枠板部分と同一厚さの隙間封鎖板が取り付けられており、
前記シェル枠の前記枠板部分を前記シェル取付け面に取り付けた状態において、その両側に形成される前記押さえ板と前記側端面との間の隙間が、前記隙間封鎖板によって封鎖される請求項２または３に記載のシェル取付け構造。
【請求項５】
粒子線治療において治療台の天面に設置するベースプレートと、
ベースプレートに載せた患者の頭部を、移動しないように前記ベースプレートに固定するために用いる体位固定シェルと、
を有しており、
請求項１ないし４のうちのいずれか一つの項に記載のシェル取付け構造によって、前記体位固定シェルが前記ベースプレートに取り付けられることを特徴とする体位固定シェルシステム。
【発明の詳細な説明】
【技術分野】
【０００１】
本発明は、粒子線治療において、治療台の天面に設置したベースプレートに載せた患者の頭部等の部位を固定するために用いる体位固定シェルを前記ベースプレートに取り付けるシェル取付け構造、および、当該シェル取付け構造を備えた体位固定シェルシステムに関する。
【背景技術】
【０００２】
放射線治療等において患者、被験者の頭部等を固定するために用いる体位固定シェルは熱可塑性樹脂からなるネット状のシート素材から形成されている。治療台等の天板に固定したベースプレートに患者等を載せ、熱を加えて軟化させた状態のシェルを患者の頭部に押し付けて型を取り、型取りした後のシェルを用いて患者の頭部等を、移動しないようにベースプレートに固定している。このような体位固定シェルシステムは非特許文献１に開示されている。
【０００３】
一般的に使用されている頭部あるいは頭頸部用の体位固定シェルシステムでは、頭部あるいは頭頸部を包むように型取りしたシェルを配置し、その両端縁を頭尾方向に延びる状態でベースプレートの側に固定している。
【先行技術文献】
【非特許文献】
【０００４】
【非特許文献１】“ＥＳＦＯＲＭ製品紹介”、［online］、エンジニアリングシステム株式会社、［平成２６年７月２４日検索］、インターネット＜URL:http://www.esform.com>
【発明の概要】
【発明が解決しようとする課題】
【０００５】
ここで、放射線療法には、エックス線またはガンマ線を用いる光子線治療と、重粒子線または陽子線を用いる粒子線治療がある。後者の粒子線治療に使用される重粒子線、陽子線は、患者の体表面での吸収が少なく、患者の深部において線量がピークになる特性（ブラッグピーク）があるので、深部のがん組織をピンポイントで破壊でき、周囲の正常組織へのダメージを減らすことができる。
【０００６】
粒子線治療においては、ターゲットのがん組織の位置で正確にブラッグピークが得られるように、粒子線の線量、照射方向などを精度良く制御すると共に、各方向からの粒子線の通過経路が均質となるようにすることが必要である。すなわち、図７に示すように、陽子線、重粒子線の線量曲線においては、そのピーク位置近傍の傾きが急峻であるので、ピーク位置でがん組織を破壊できる一方、粒子線が通過する領域に空隙等の不均一な構造部分が存在すると、不均一性に起因して吸収線量が粒子線通過領域に応じて大きく変動するので、ピーク位置がずれてしまう。
【０００７】
このために、患者の頭部等を固定するために用いる体位固定シェルも、光子線治療の場合のようなネット状のシェルではなく、一定厚さの板状のシェルが使用される。しかしながら、シェルをベースプレートに取り付けるためのシェル取付け部分には、空隙等が偏在する不均一な構造部分が存在する。従来においては、シェルの取付け部分の構造は、光子線治療および粒子線治療の何れの場合においても共通の構造が採用されており、シェル取付け部分の構造の不均一性については何ら考慮されていない。
【０００８】
シェルの取付け部分においては、シェルを位置決めするための位置決め孔、位置決めピンが配置され、また、位置決めしたシェルをベースプレートに固定するための留め具および留め具の取付け孔が配置される。このために、シェルの取付け部分は、空隙、厚さの異なる素材等が偏在する不均一構造となっている。シェル取付け部分の各部分を通過する粒子線の線量にバラツキが生じ、治療位置に正確にピーク線量が投与されなくなるおそれがある。
【０００９】
本発明の課題は、このような点に鑑みて、粒子線治療に用いるのに適したシェル取付け構造、および、当該シェル取付け構造を備えた体位固定シェルシステムを提供することにある。
【課題を解決するための手段】
【００１０】
上記の課題を解決するために、本発明は、粒子線治療において治療台の天面に設置したベースプレートに載せた患者の頭部、その他の部位を固定するために用いる体位固定シェルを前記ベースプレートに取り付けるシェル取付け構造であって、
前記ベースプレートの両側の側端面に形成した一定幅の平面からなるシェル取付け面と、
前記体位固定シェルの両側の縁端部に固定した板状のシェル枠に形成した、前記シェル取付け面よりも広い幅で一定厚さの長方形平板からなる枠板部分と、
前記枠板部分を前記シェル取付け面に位置決めして重ね合わせる位置決め部と、
前記側端面と同一幅で前記枠板部分よりも長い一定厚さの長方形平板からなる押さえ板と、
前記シェル取付け面との間に前記枠板部分を挟んだ状態の前記押さえ板を、前記側端面に位置決めして取付ける取り付け部と、
を有しており、
前記位置決め部は、前記枠板部分をその厚さ方向に貫通しているピン孔と、このピン孔に差し通し可能であり、前記シェル取付け面から前記枠板部分の厚さに対応する突出高さを有する位置決めピンとを備え、
前記シェル取付け面に対して、前記ピン孔に前記位置決めピンが差し通されて前記ピン孔が封鎖された状態で、前記シェル枠の前記枠板部分が重ね合わされ、前記押さえ板が前記枠板部分に重ね合わされて前記側端面に取り付けられることを特徴としている。
【００１１】
この構成のシェル取付け構造においては、ベースプレートの側端面におけるシェル取付け面に、体位固定シェルのシェル枠における一定厚さの枠板部分を重ね合わせ、この上に一定厚さの押さえ板が重ね合わされる。また、シェル枠のピン孔は、ベースプレートの側のピンによって封鎖された状態になる。したがって、シェル取付け部分においては、ベースプレートの側端面に直交する断面は、側端面に沿った方向の各位置において実質的に同一厚さで、空隙の無い均一な断面になる。よって、空隙等が偏在する不均一な断面構造を備えた従来の取付け構造とは異なり、各位置を通過する粒子線の吸収線量が変動することを抑制できる。
【００１２】
また、本発明によるシェル取付け構造は、体位固定シェルの側の取付け部分の構造（シェル枠の構造）が光子線治療に用いる場合と同一である。よって、体位固定シェルの側の取付け部分に変更を要しないという利点もある。
【００１３】
ここで、押さえ板を用いて、簡単な操作によって、シェル枠の枠板部分を、ベースプレートの側端面に取り付けることができるように、押さえ板の取り付け部は次のように構成することが望ましい。
【００１４】
すなわち、押さえ板の取り付け部は、前記シェル取付け面に、前記枠板部分の長さよりも広い間隔で配置された一対の取付けピンと、前記押さえ板における一方の長辺縁において、前記一対の取付けピンに対応する間隔の位置に形成され、各取付けピンを差し込み可能な一対のピン差込溝とを備えている。前記取付けピンは、前記シェル取付け面から前記ベースプレートに埋め込み固定された脚部と、当該脚部の先端に形成され、前記シェル取付け面から突出している段付き頭部とを備えている。
【００１５】
また、前記押さえ板を前記シェル取付け面に沿ってスライドさせて、前記ピン差込溝に前記取付けピンを差し込むと、前記段付き頭部は、前記押さえ板における前記ピン差込溝を取り囲む凹状の溝内周縁部分に対して厚さ方向の外側から係合して、当該押さえ板と前記シェル取付け面との間に、前記シェル枠の前記枠板部分が挟まれ、前記押さえ板の外側表面と前記段付き頭部の先端面が同一平面上に位置する状態が形成されるようになっている。
【００１６】
押さえ板の取り付け部は、一対のピン差込溝の代わりに一対のピン差込孔を備えていても良い。この場合には、ピン差込孔は、一方に前記段付き頭部を差し通すことが出来る大きさの大孔部分が形成され、他方には小孔部分が形成された長孔とされる。
【００１７】
また、前記ピン差込孔の前記大孔部分に差込ピンを通して、前記押さえ板を、前記差込ピンが前記小孔部分の側に向けて相対的に移動する方向に、スライドさせると、前記取付けピンの前記段付き頭部は、前記押さえ板における前記小孔部分の孔内周縁部分に対して厚さ方向の外側から係合して、当該押さえ板と前記シェル取付け面との間に、前記シェル枠の前記枠板部分が挟まれ、前記押さえ板の外側表面と前記段付き頭部の先端面が同一平面上に位置する状態が形成されるようになっている。
【００１８】
次に、前記シェル枠の前記枠板部分を前記シェル取付け面に取り付けた状態において、その両側において前記押さえ板と前記側端面との間に形成される隙間を封鎖するために、前記押さえ板における前記側端面に対峙する内側表面には、その長さ方向の両端部分に、前記シェル枠の枠板部分と同一厚さの隙間封鎖板を取り付けておくことが望ましい。
【図面の簡単な説明】
【００１９】
【図１】本発明を適用した体位固定シェルシステムのベースプレート、体位固定シェルシステムの頭部載置部分、および、ｃ−ｃ線で切断した部分の断面図である。
【図２】体位固定シェルシステムの頭部用シェルの取付け構造を示す説明図である。
【図３】差込型押さえ板を取付けたベースプレートの頭部載置部分を示す部分斜視図、差込型押さえ板の取付けを示す説明図、差込型押さえ板の正面図、平面図、背面図および断面図である。
【図４】スライド型押さえ板を取付けたベースプレートの頭部載置部分を示す部分斜視図、スライド型押さえ板の取付けを示す説明図、スライド型押さえ板の正面図、平面図、背面図および断面図である。
【図５】ベースプレートの平面図、正面図、底面図、背面図、右側面図、および左側面図である。
【図６】ベースプレートの頭部載置部分を示す部分斜視図、部分平面図および部分側面図である。
【図７】粒子線の線量曲線を示すグラフである。
【発明を実施するための形態】
【００２０】
以下に、図面を参照して、本発明を適用した頭部固定用の体位固定シェルシステムの実施の形態を説明する。なお、本発明は頭部以外の患者の部位を固定するために用いる体位固定シェルシステムにも適用可能である。
【００２１】
図１（ａ）は本実施の形態に係る体位固定シェルシステムのベースプレートを示す斜視図であり、図１（ｂ）はその頭部固定用のシェル取付け構造を示す部分斜視図であり、図１（ｃ）は図１（ｂ）のｃ−ｃ線で切断した部分の概略断面図である。体位固定シェルシステム１は、ベースプレート２と、このベースプレート２に取り付けた患者頭部固定用の頭部用シェル３とを備えている。ベースプレート２は、治療台（図示せず）の天面に位置決めされた状態で設置される。
【００２２】
ベースプレート２は一定厚さのカーボン製のプレートであり、広幅の長方形の本体部分２１と、この本体部分２１の先端側の縁端部の中央部分から伸びている狭い幅の頭部載置部分２２とを備えている。頭部用シェル３は、熱可塑性樹脂からなる一定厚さの略長方形の平板状の板部分からなるシェル本体３１と、シェル本体３１の左右の側縁部に固定した一定幅の長方形の樹脂製のシェル枠３２とを備えている。図１（ｂ）においては、患者（図示せず）の頭部の型取りを行った成形後の頭部用シェル３を、ベースプレート２の頭部載置部分２２に取り付けた状態を示してある。本例の頭部用シェル３は粒子線治療において患者の頭部を固定するために使用されている一般的なものである。
【００２３】
以下に、頭部用シェル３をベースプレート２に取り付けるためのシェル取付け構造を説明する。図１（ｂ）、（ｃ）に示すように、患者（図示せず）の頭部の形状に対応するように型取りをした後の頭部用シェル３のシェル枠３２は、ベースプレート２の先端の頭部載置部分２２の幅方向の両側の側端面２３に、差込型押さえ板４を用いて、固定されている。
【００２４】
図２はシェル取付け構造の説明図であり、（ａ）はベースプレート２の頭部載置部分２２の側端面２３を示す説明図であり、（ｂ）は側端面２３に頭部用シェル３のシェル枠３２を取付けた状態を示す説明図であり、（ｃ）は差込型押さえ板４を取付けた状態を示す説明図であり、（ｄ）は差込型押さえ板４を取付けるための段付きピンを示す説明図である。
【００２５】
頭部用シェル３のシェル枠３２は、図１（ｃ）、図２（ｂ）に示すように、一定厚さの長方形の樹脂製の平板からなる枠板３３を備え、この枠板３３の上側の長辺縁部には、シェル本体３１の縁端部３１ａが挿入されて接着固定されている差込溝部分３４が形成されている。枠板３３の差込溝部分３４の下側の部分は、ベースプレート２の頭部載置部分２２の側端面２３の幅（ベースプレートの厚さ）よりも僅かに広い幅寸法の枠板部分３５となっている。枠板部分３５には、所定の間隔で、その長辺方向に３個の位置決め用の円形のピン孔３６が厚さ方向に貫通する状態に形成されている。
【００２６】
図２（ａ）に示すように、ベースプレート２の頭部載置部分２２の側端面２３は、ベースプレート２の天面２ａに直交する平坦な側面であり、この側端面２３における頭部用シェル３の枠板部分３５に対応する長さ範囲の部分が、シェル取付け面２４である。シェル取付け面２４には、その長さ方向（頭尾方向）に、所定の間隔で、３個の位置決め用の円形断面のピン２５が形成されている。ピン２５の間隔は、頭部用シェル３のピン孔３６に対応する間隔で形成されている。ピン２５の突出高さは、頭部用シェル３の枠板部分３５の厚さに対応する寸法であり、その先端は、シェル取付け面２４に平行な平坦面となっている。
【００２７】
側端面２３におけるシェル取付け面２４の長さ方向の両側の部位（頭尾方向の両側の部位）には、それぞれ、押さえ板取付け用の段付きピン２６が配置されている。段付きピン２６は、図２（ｄ）に示すように、シェル取付け面２４から垂直にベースプレート２に埋め込み固定されている小径の脚部２６ａと、この先端に形成されている頭部２６ｂとを備えている。頭部２６ｂはシェル取付け面２４から突出しており、その頭部２６ｂは脚部２
６ａよりも太く、その先端側の大径頭部２６ｃに比べて、脚部側の部分が相対的に一回り小径の小径頭部２６ｄとなっている段付き頭部である。
【００２８】
図３（ａ）は差込型押さえ板４が取り付けられたベースプレート２の頭部載置部分２２を示す部分斜視図であり、図３（ｂ）は差込型押さえ板４の取付けを示す説明図であり、図３（ｃ）は差込型押さえ板４の正面図、平面図、背面図および断面図である。
【００２９】
図２、図３を参照して説明すると、差込型押さえ板４は、一定厚さの長方形の樹脂製の平板からなる。差込型押さえ板４の幅および長さは、ベースプレート２の頭部載置部分２２の側端面２３とそれぞれ同一となっている。差込型押さえ板４における長さ方向の両端側の部位には、それぞれ、ピン差込溝４１が形成されている。ピン差込溝４１の間隔は、段付きピン２６と同一間隔である。
【００３０】
図３（ｃ）に示すように、ピン差込溝４１は、差込型押さえ板４の下側の長辺縁４ａに開口しており、当該長辺縁４ａから一定の幅で上方に延び、その上端部分が半円形をしており、全体として逆Ｕ字形状をした溝である。
【００３１】
差込型押さえ板４のピン差込溝４１に、シェル取付け面２４の段付きピン２６が下側から差し込まれるように、差込型押さえ板４をシェル取付け面２４に取り付けると、図２（ｄ）に示すように、差込型押さえ板４の内側表面４ｂと、これに対峙するシェル取付け面２４との間には一定の隙間が形成される。この隙間寸法は、シェル枠３２の枠板部分３５の厚さに対応している。
【００３２】
図２（ｄ）、図３（ｃ）を参照して更に説明すると、ピン差込溝４１が形成されている差込型押さえ板４の溝内周縁部分は、一定幅で逆Ｕ字形状の薄肉内周縁部分４２となっている。薄肉内周縁部分４２は、差込型押さえ板４における外方に面する外側表面４ｃから一段窪んだ逆Ｕ字状凹部である。この深さは、段付きピン２６の頭部の先端側の大径頭部２６ｃの厚さと同一である。
【００３３】
また、ピン差込溝４１の開口幅は段付きピン２６の小径頭部２６ｄの直径に対応し、当該小径頭部２６ｄのガイド溝として機能する。ピン差込溝４１を取り囲む薄肉内周縁部分４２の逆Ｕ字形状凹部の幅は段付きピン２６の大径頭部２６ｃの直径に対応し、当該大径頭部２６ｃのガイド部として機能する。
【００３４】
さらに、ピン差込溝４１に段付きピン２６を差し込んだ状態において、差込型押さえ板４とシェル取付け面２４との間に、シェル枠３２の枠板部分３５の厚さに対応する隙間ができるように、段付きピン２６の突出高さが設定されている。
【００３５】
これに加えて、差込型押さえ板４においては、図２（ｄ）、図３（ｂ）、（ｃ）に示すように、その内側表面４ｂにおける長さ方向の両端部分に、隙間封鎖板４３が貼り付けられえている。隙間封鎖板４３の厚さは、シェル枠３２の枠板部分３５の厚さと同一である。また、一対の隙間封鎖板４３の間に、枠板部分３５が位置するように、それらの間隔が設定されている。
【００３６】
このように構成されたシェル取付け構造においては、次のようにして、頭部用シェル３がベースプレート２に固定される。まず、図２（ａ）、（ｂ）に示すように、頭部用シェル３のシェル枠３２の枠板部分３５を、ベースプレート２の頭部載置部分２２の側端面２３のシェル取付け面２４に位置決めされた状態で重ね合わせる。すなわち、枠板部分３５の各ピン孔３６に、シェル取付け面２４の各ピン２５が差し込まれた状態で、枠板部分３５をシェル取付け面２４に重ね合わせる。これにより、枠板部分３５がシェル取付け面２
４に密接し、各ピン孔３６が各ピン２５によって封鎖される。
【００３７】
次に、図２（ｃ）、図３（ｂ）に示すように、上方から、頭部用シェル３の枠板部分３５の両側に位置する段付きピン２６に、差込型押さえ板４のピン差込溝４１を位置決めする。この状態で、差込型押さえ板４を、シェル枠３２の表面に沿って下方にスライドさせる（落とし込む）。差込型押さえ板４は、両側の段付きピン２６によってガイドされて、シェル枠３２の枠板部分３５の表面に重なった状態に取り付けられる。
【００３８】
この結果、図１（ｃ）に示す断面から分かるように、シェル枠３２の枠板部分３５が、差込型押さえ板４によってベースプレート２の頭部載置部分２２のシェル取付け面２４に押さえ付けられた状態で固定される。また、シェル枠３２の枠板部分３５の両側において、差込型押さえ板４とシェル取付け面２４との間の隙間は、差込型押さえ板４の内側表面４ｂに貼り付けた隙間封鎖板４３によって封鎖される。
【００３９】
なお、頭部用シェル３をベースプレート２から取り外す場合には、段付きピン２６からピン差込溝４１が外れるまで、差込型押さえ板４を上方にスライドさせればよい。差込型押さえ板４を側端面２３から外すと、頭部用シェル３のシェル枠３２をベースプレート２の側端面２３から外すことができる。
【００４０】
（押さえ板の別の例）
ここで、頭部用シェル３をベースプレート２に取り付けるために用いる押さえ板としては、上記の差込型押さえ板４の代わりに、図４に示すスライド型押さえ板を用いることもできる。
【００４１】
図４（ａ）は、スライド型押さえ板が取り付けられたベースプレートの頭部載置部分を示す説明図であり、図４（ｂ）はスライド型押さえ板の取付けを示す説明図であり、図４（ｃ）はスライド型押さえ板の正面図、平面図、背面図および断面図である。
【００４２】
この場合においても、スライド型押さえ板４００以外の構造は、上記の場合と同様であり、ベースプレート２の側のシェル取付け面２４には、上記構成の一対の段付きピン２６が取り付けられている。
【００４３】
スライド型押さえ板４００においては、段付きピン２６を差し込み可能な位置に、当該押さえ板４００の厚さ方向に貫通する一対のピン差込孔４０１が形成されている。ピン差込孔４０１は、図４（ｃ）から分かるように、一方に大孔部分４０２が形成され、他方に小孔部分４０３が形成された長孔である。大孔部分４０２は段付きピン２６の大径頭部２６ｃを差し通すことのできる大きさであり、小孔部分４０３は段付きピン２６の小径頭部２６ｄを差し通すことのできる大きさである（段付きピン２６については図２（ｄ）等を参照のこと）。
【００４４】
また、スライド型押さえ板４００における小孔部分４０３の内周縁部分は、当該小孔部分４０３を一定幅で取り囲む薄肉の凹状の孔内周縁部分４０４となっている。この孔内周縁部分４０４の深さは、段付きピン２６の大径頭部２６ｃの厚さに対応している。
【００４５】
ベースプレート２のシェル取付け面２４に対して、頭部用シェル３のシェル枠３２の枠板部分３５を位置決めした状態に重ね合わせる（図２（ｂ）参照）。次に、図４（ｂ）に示すように、ベースプレート２のシェル取付け面２４に対して、側方の外側から、スライド型押さえ板４００を位置決めする。そして、両側のピン差込孔４０１の大孔部分４０２に、段付きピン２６が差し通されるように、スライド型押さえ板４００をシェル枠３２の枠板部分３５の表面に重ね合わせる。
【００４６】
しかる後に、スライド型押さえ板４００を、段付きピン２６が小孔部分４０３の側に相対的に移動する方向に、スライドさせる。これにより、段付きピン２６の大径頭部２６ｃによって、スライド型押さえ板４００が枠板部分３５に押さえ付けられ、枠板部分３５がシェル取付け面２４に固定された状態が形成される。
【００４７】
ここで、スライド型押さえ板４００においても、その内側表面における両端部分に、隙間封鎖板を貼り付けておくことができる。これにより、シェル取付け面２４とスライド型押さえ板４００との間にシェル枠３２の枠板部分３５を挟んだ状態において、枠板部分３５の両側に形成される隙間を封鎖することができる。
【００４８】
なお、図５（ａ）〜（ｆ）は、上記の体位固定シェルシステム１のベースプレート２の一例を示す平面図、正面図、底面図、背面図、左側面図および右側面図である。また、図６（ａ）は、ベースプレート２における頭部載置部分２２を示す部分斜視図であり、図６（ｂ）はその部分平面図であり、図６（ｃ）はその部分側面図である。
【符号の説明】
【００４９】
１    体位固定シェルシステム
２    ベースプレート
２ａ  天面
３    頭部用シェル
４    差込型押さえ板
４ａ  長辺縁
４ｂ  内側表面
４ｃ  外側表面
２１  本体部分
２２  頭部載置部分
２３  側端面
２４  シェル取付け面
２５  ピン
２６  段付きピン
２６ａ  脚部
２６ｂ  頭部
２６ｃ  大径頭部
２６ｄ  小径頭部
３１  シェル本体
３１ａ  縁端部
３２  シェル枠
３３  枠板
３４  差込溝部分
３５  枠板部分
３６  ピン孔
４１  ピン差込溝
４２  薄肉内周縁部分
４３  隙間封鎖板
４００  スライド型押さえ板
４０１  ピン差込孔
４０２  大孔部分
４０３  小孔部分
４０４  孔内周縁部分
【図１】
0006576144.tif 000002
【図２】
0006576144.tif 000003
【図３】
0006576144.tif 000004
【図４】
0006576144.tif 000005
【図５】
0006576144.tif 000006
【図６】
0006576144.tif 000007
【図７】
0006576144.tif 000008